(57)【要約】      （修正有）【課題】強度に優れた金属板製のカードケースにおいて、カード類の脱落防止とカード類の出し入れ容易性とを両立させる。【解決手段】カードケースはカード収納機能を有する第１及び第２の収納体１，２から成っており、両収納体１，２は第１短辺周壁１ｂ，２ｂの箇所においてヒンジ手段３で連結されている。両収納体１，２の第２短辺周壁１ｃ，２ｃは底板１ａ，２ａに対して傾斜している。長辺周壁１ｄ，２ｄにはカード脱落防止用のストッパー９，１０が折り曲げ形成されている。周壁１ｂ・２ｂ〜１ｄ・２ｄとストッパー９，１０の存在により、収納体１，２を下向きにしてもカード類は脱落せず、第２短辺周壁１ｃ，２ｃが傾斜しているためカードの出し入れも容易である。【選択図】図１
2009274736.tif 000002
【特許請求の範囲】
【請求項１】
金属板製の２つの収納体がヒンジ手段で連結されているカードケースであって、
前記両収納体は、角形のカード類を重ねて収納できるよう略四角形の底板と４つの周壁とを備えたトレー状になっており、これら２つの収納体は、その開口面を互いに重ね合わせた閉じ状態と開口面を離反させた開き姿勢とに変更自在となるようにそれら収納体の一周壁の箇所において前記ヒンジ手段で連結されており、
更に、前記両収納体を構成する４つの周壁のうち少なくともヒンジ手段と反対側の周壁が底板に対して鈍角を成すように傾斜又は湾曲していると共に、両収納体を構成する４つの周壁のうちヒンジ手段と直交した方向に延びる２つの周壁には、開口面を下向きにしてもカードが落ちないように保持するストッパー片が内向きに突設されている、
カードケース。
【請求項２】
金属板製のカードケースであって、
角形のカード類を重ねて収納できるように底板と４つの周壁とを備えたトレー状の本体と、前記本体を塞ぐために当該本体の一周壁にヒンジ手段で連結された蓋体とを備えており、前記本体における４つの周壁のうち少なくともヒンジと反対側の周壁を、底板と成す角が鈍角となるように傾斜又は湾曲させている、
カードケース。
【発明の詳細な説明】
【技術分野】
【０００１】
本願発明は、例えば名刺入れのように角形のカード類を収納するように使用する金属製のカードケースに関するもので、特に、比較的薄型の携帯式カードケースを好適な対象にしている。なお、カードケースは、カードホルダーやカード入れと呼ぶことも可能である。また、カード類の種類も多種多用である。名刺の他のカード類としては、例えば、クレジットカード、ＩＤカード、社員証、キャッシュカード、各種メンバーズカード、診察券、免許証、保険証、定期券、ゲーム機用カード、化粧用油とり紙などが挙げられる。
【背景技術】
【０００２】
カードケースの素材及び形態は多種多様である。例えば素材については、天然又は人造の皮革、布、紙、合成樹脂、金属板などが使用されている。複数種類の素材が使用されている場合も多い。このうち金属板で製造されたカードケースは、薄くても強度に優れる点や独特の質感を有する点等の特徴があり、市場への浸透が期待されている。
【０００３】
そして、金属板製のカードケースの例が特許文献１，２に挙げられている。このうち特許文献１の図４には、従来技術として、トレー状（皿状又は浅箱状と呼んでも良い）の本体に略フラットな蓋板をヒンジで連結したものが開示されている。また、特許文献１には、出願に係る発明の実施形態として、カードの収納機能を有する浅箱状の本体と蓋とを互いに重ね合わせ得るようにヒンジ（蝶番）で連結すると共に、本体と蓋とに回動式のカード押さえを設けた構造が開示されている。
【０００４】
他方、特許文献２には、カード類が収納されるトレー状の本体とこれを塞ぐ蓋とをヒンジ手段にて連結した構造において、本体の周壁のうちヒンジと直交した方向に延びる２つの長手周壁のうち一方を切除すると共に、自由端に位置した周壁と切除されていない長手周壁とにカード脱落防止のための庇部を内向きに突設し、更に、蓋のうち閉じた状態で本体の切除された長手周壁の箇所に位置する箇所には壁部を設ける、という構成が開示されている。
【特許文献１】特開２０００−１８５７８１号公報
【特許文献２】実開平６−３３５１９号のＣＤ−ＲＯＭ
【発明の開示】
【発明が解決しようとする課題】
【０００５】
さて、金属板製のカードケースは堅牢で強度に優れている特徴があるが、この堅牢性はカードケースが撓み変形しないということと同義であり、従って、カードの出し入れの容易性を確保することが商品性の一つの要素になる。
【０００６】
しかるに、特許文献１では本体の各周壁は底板と直角に交叉しており、従って、カードを取り出すには本体又は蓋を下向きに開口する姿勢にしてカードを落さねばならないが、この場合、本体からカードを取り出す場合は、本体のカード押さえを指先で起こして本体を下向き開口の姿勢にせねばならない一方、蓋からカードを取り出す場合は蓋のカード押さえを起こして蓋を下向き開口の姿勢にせねばならず、いずれにもしてもカードの取り出しが面倒である。
【０００７】
他方、特許文献２では本体の一つの長手周壁が切除されているため、本体に収納されたカードは、本体を略上向きに開口させたまま指先を当てて横向きに滑り移動させて取り出すことができ、このため、カードの取り出しは容易に行えると言える。しかし、本体の切除部は蓋の壁部で閉じているため、蓋を開けた状態でカードケースを不用意に傾けるとカードが滑り落ちてしまうという問題や、蓋の閉じ方が不完全であるとカードが脱落してしまう虞がある問題がある。
【０００８】
本願発明はこのような実情に鑑み成されたものであり、使い勝手の良い金属板製カードケースを提供することを主たる課題とするものである。
【課題を解決するための手段】
【０００９】
本願発明は、２つの収納体が連結されたタイプと本体に蓋を連結したタイプとの２つのタイプを含んでいる。請求項１の発明は２つの収納体がヒンジ手段で連結されているカードケースに係るものであり、この発明では、まず、前記両収納体は、角形のカード類を重ねて収納できるよう略四角形の底板と４つの周壁とを備えたトレー状になっており、これら２つの収納体は、その開口面を互いに重ね合わせた閉じ状態と開口面を離反させた開き姿勢とに変更自在となるようにそれら収納体の一周壁の箇所において前記ヒンジ手段で連結されている。
【００１０】
そして、前記両収納体を構成する４つの周壁のうち少なくともヒンジ手段と反対側の周壁が底板に対して鈍角を成すように傾斜又は湾曲していると共に、両収納体を構成する４つの周壁のうちヒンジ手段と直交した方向に延びる２つの周壁には、開口面を下向きにしてもカードが落ちないように保持するストッパー片が内向きに突設されている。
【００１１】
請求項２の発明は、本体に蓋を連結したタイプのカードケースに係るものである。すなわち、請求項２では、角形のカード類を重ねて収納できるように底板と４つの周壁とを備えたトレー状の本体と、前記本体を塞ぐために当該本体の一周壁にヒンジ手段で連結された蓋体とを備えており、前記本体における４つの周壁のうち少なくともヒンジと反対側の周壁を、底板と成す角が鈍角となるように傾斜又は湾曲させている。
【発明の効果】
【００１２】
請求項１の場合、両収納体はその周囲が周壁で囲われており、しかも両収納体にはストッパー片が設けられているため、両収納体を開いた状態で傾けてもカードが簡単に脱落することはない。そして、ヒンジ手段（換言すると両収納体の回動中心）と反対側の自由端に位置した周壁が底板に対して傾斜又は湾曲しているため、両収納体に収納されているカードは、その表面に指先を当ててヒンジ手段と反対側（手前）に引くことで外側に簡単に滑り移動させることができる。すなわち、カードを簡単に取り出すことができる。カードの収納も、自由端部の側から差し込むことで簡単に行える。
【００１３】
従って、請求項１によると、カード収納機能を有する２つの収納体を連結したタイプの金属板製カードケースにおいて、カードの脱落を的確に防止しつつ、カードを容易に出し入れすることができる。更に述べると、特許文献１ではカードを本体及び蓋に収納するには一々カード押さえを起こさねばならず、このためカードの収納が面倒であるが、本願請求項１の発明では、カードは脱落を的確に防止しつつカードの収納を容易に収納できるであり、この点は請求項１の発明の特徴の一つである。
【００１４】
他方、請求項２の発明でも本体の周囲は周壁で構成されているのでカードが脱落するような不具合は無く、しかも、請求項１と同様に、ヒンジ手段と反対側の自由端に位置した周壁が底板に対して傾斜又は湾曲しているため、両収納体に収納されているカードは、その表面に指先を当てて手前に引くことで外側かに簡単に滑り移動させることができる。カードを挿入するに際して一々押さえ部材を起こすような動作は不要であるため、本体へのカードの挿入もごく簡単に行える。従って、請求項１の発明と同様に、カードの脱落を的確に防止しつつ、カードを容易に出し入れすることができる。
【００１５】
なお、請求項２においても本体に請求項１と同様のストッパー片を設けることは可能であり、この構成を採用すると、誤って蓋を下にした姿勢て開いたり蓋を開いた状態で本体を大きく傾けたりした場合であっても、カードの脱落を的確に防止することができる。
【発明を実施するための最良の形態】
【００１６】
次に、本願発明の実施形態を図面に基づいて説明する。図１〜図３では第１実施形態を示し、図４以下では他の実施形態を示している。以下、第１実施形態から順次説明する。
【００１７】
(1).第１実施形態の構成
第１実施形態は請求項１を名刺入れに適用した具体例であり、このうち図１の（Ａ）は閉じた状態の名刺入れを手前から見た斜視図、図１の（Ｂ）は閉じた状態の名刺入れを後ろから見た部分斜視図、図１の（Ｃ）は開いた状態での斜視図である。
【００１８】
図１からおおよそを理解できると思われるが、名刺入れは、いずれも名刺Ｃの収納機能を有する浅いトレー状で平面視長方形の第１収納体１と第２収納体２とを有しており、両収納体１，２は、一つの短辺の箇所を中心にして相対回動するようにヒンジ手段３で連結されている。従って、収納体１，２は、相対回動させることで閉じたり開いたりする。
【００１９】
両収納体１，２は基本的には同じ大きさ・形状であり、それぞれ、底板１ａ，２ａ、ヒンジ手段３を形成している第１短辺周壁１ｂ，２ｂ、ヒンジ手段３と反対側の自由端の箇所に位置している第２短辺周壁１ｃ，２ｃ、両底板１ａ，２ａの長手側縁に連続した２つの長辺周壁１ｄ，２ｄを有している。
【００２０】
両収納体１，２は、薄金属板を板金加工することで製造されている。金属板の具体例としては、例えばマグネシウム板やマグネシウム合金板、アルミニウム板、アルミ合金板、チタン板、チタン合金板などが挙げられる。マグネシウム板又はマグネシウム合金板は、強度と軽量性とにおいて携帯式名刺入れに好適な材料である。卓上式名刺入れのように軽量性が問われない場合は、ステンレス板のような鉄系素材も使用可能である。
【００２１】
次に、図２及び図３も参照して詳細を説明する。図２のうち（Ａ）は閉じた状態での一部破断部分平面図、（Ｂ）は（Ａ）のＢ−Ｂ視断面図、（Ｃ）は（Ａ）のＣ−Ｃ視断面図、（Ｄ）は（Ａ）のＤ−Ｄ視図、（Ｅ）は（Ｄ）のＥ−Ｅ視断面図、（Ｆ）は（Ｅ）と同じ箇所の分離断面図、（Ｇ）は開いた状態でのＢ−Ｂ視断面図である。また、図３のうち（Ａ）は閉じた状態での一部破断平面図、（Ｂ）は（Ａ）のＢ−Ｂ視断面図、（Ｃ）は（Ａ）のＣ−Ｃ視断面図、（Ｄ）は開いた状態での断面図である。
【００２２】
以下の説明で、「正面」「側面」の文言を使用するが、これは図１（Ａ）に示す方向に基づいている。また、「基端」とはヒンジ手段３に近い部分をいい、「先端」又は「前端」はヒンジ手段３から遠い端を言い、「前後」はヒンジ手段３と直交した方向の長さを言う。上下は、第１収納体１が下で第２収納体２が上になって重なっている状態を基準にしている。
【００２３】
両収納体１，２の底板１ａ，２ａは、長さ及び幅とも名刺Ｃより僅かに大きい寸法に設定されており、それぞれ周縁部を残して内側に凹んだ平面視略四角形の凹所４が形成されている。凹所４には、図１（Ａ）に一点鎖線で示すように紙製等のラベル５を貼り付けることができる。ラベル５には任意の図柄・文字等を表示することができる。
【００２４】
両収納体１，２は基本的には同じ形態であり、機能的には上下や主従の関係はないが、いずれか一方の収納体１，２の凹所４にラベル５を貼ることで、ラベル５が張られている面を上面と規定することができる。本実施形態では、第２収納体２の凹所４にラベル５を貼るように設定している。凹所４は、これを形成したことによるリブ効果によって底板１ａ，２ａに高い剛性を付与する機能も有しており、このため反りや曲がりを防止できる。
【００２５】
長辺周壁１ｄ，２ｄは、側面視で底板１ａ，２ａと直角の姿勢で交叉しているが、第１短辺周壁１ｂ，２ｂと第２短辺周壁１ｃ，２ｃとは、側断面視で底板１ａ，２ａと鈍角を持って交叉している。交叉角度は１３５°程度に設定しているが、その角度を任意に設定できることは云うまでもない。
【００２６】
ヒンジ手段３としては、例えば図３に示すように、第１収納体１にセンターカール部６を曲げ形成する一方、第１収納体２にはセンターカール部６を挟んだ両側に位置する２つのサイドカール部７を形成して、これらカール部６，７に１本のヒンジピン８を挿通している。サイドカール部７の外端は長辺周壁１ｄ，２ｄの端部で塞がれており、このため、ヒンジピン８は特段の固定手段を講じなくても抜け止めされている。
【００２７】
敢えて述べるまでもないが、カール部の配置態様は任意に設定できる。両収納体に形成したカール部を互いに嵌め合わせることにより、ピン無しのヒンジ手段と成すことも可能である。或いは、２つのフラップがピンで連結された蝶番装置を収納体１，２に固定することも可能である。更に、両収納体１，２における長辺周壁１ｄ，２ｄの端部を重ね合わせて、これをヒンジピンで連結するといったことも可能である。
【００２８】
名刺入れを閉じた状態では、両収納体１，２の第２短辺周壁１ｃ，２ｃの先端は当接又は密接するように設定している。従って、名刺入れは、ヒンジピン８の軸線方向から見た側面視において扁平状の六角形になっている。また、両収納体１，２の長辺周壁１ｄ，２ｄには、それら収納体１，２を下向き開口姿勢にしても名刺Ｃが脱落しないように保持する内向き庇状のストッパー９，１０が折り曲げ形成されている。
【００２９】
ストッパー片９，１０は長辺周壁１ｄ，２ｄの長手方向（前後方向）に長く延びているが、その長さは任意に設定できる。飛び飛びに形成することも可能である。本実施形態では第１収納体１のストッパー片９と第２収納体１のストッパー片１０とは長さ及び端部形状が僅かに相違しているが、全く同じ形状とすることも可能である。また、本実施形態では、両収納体１，２とも隣り合った周壁１ｂ〜１ｄ，２ｂ〜２ｄは互いに分離していて端面部が突き合わさっているが、隣り合った周壁１ｂ〜１ｄ，２ｂ〜２ｄは一体に繋がっていても良い。
【００３０】
両収納体１，２は、閉状態に保持される必要がある。その閉じ状態保持手段の一例として、本実施形態では、第１収納体１における長辺周壁１ｄ，２ｄの自由端寄り部位に係止片１１を突設して、この係止片１１に外向きの係合突起１２を形成している一方、第２収納体１，２の長辺周壁１ｄ，２ｄに、前記係止片１１の係合突起１２が嵌まる係合凹所１３を形成している。
【００３１】
係止片１１は、第２収納体１，２の長辺周壁１ｄ，２ｄとの干渉を回避するためにカードケースの内部側にずらし配置しており、このため、第１収納体１の長辺周壁１ｄと係止片１１との連接部は段部１４になっている（図３，（Ｅ）（Ｆ）参照）。段部１４はストッパー片９と同一面を成すように設定されている。
【００３２】
係合突起１２と係合凹所１３とは弾性に抗して嵌脱（係脱）する嵌合手段（係合手段）の一例である。係止片１１に係合凹所１３を形成して第２収納体２の長辺周壁２ｄに係合突起を形成することも可能である。また、第２収納体２の長辺周壁２ｄに係止片１１を形成することも可能である。
【００３３】
(2).第１実施形態のまとめ
以上の構成において、両収納体１，２のいずれにも名刺Ｃを入れることができるが、両収納体１，２ともその四周が周壁１ｂ〜１ｄ，２ｂ〜２ｄで囲われており、しかもストッパー片９，１０が存在するため、例えば開いた状態でどちらかの収納体１，２を下向き開口した姿勢にしたとしても名刺Ｃが脱落することはない。そして、名刺Ｃを収納体１，２に入れる場合は、自由端寄りの部位からやや斜めの姿勢にしてストッパー片９，１０と底板１ａ，２ａとの間に差し込むだけで良く、特段の操作は必要でないため収納はワンタッチで行える。
【００３４】
例えば第１収納体１に収納する場合、第２収納体２は第１収納体１に対して大きく跳ね上げた姿勢になっているが、第２収納体２に名刺Ｃが収納されていても、その名刺Ｃは第２短辺周壁２ｂで下向きしない状態に止められているため、第２収納体２から名刺Ｃが抜け落ちるような不具合はない。
【００３５】
収納体１，２から名刺Ｃを取り出す場合は、指先を名刺Ｃの表面に当てて第２短辺周壁１ｃ，２ｃに向けて引き寄せたら良い。この場合、第２短辺周壁１ｃ，２ｃは底板１ａ，２ａに対して鈍角で交叉して傾斜しているため、名刺Ｃは第２短辺周壁１ｃ，２ｃの内面にガイドされてスムースに引き出される。例えば名刺Ｃが１，２枚しか残っていない場合でもワンタッチで取り出せる。
【００３６】
本実施形態では２つの収納体１，２が重なり合う態様になっているが、この構成では、収納体が１つしかない場合に比べて、カードケースの全体で収納できる最大枚数が同じあっても収納体１，２の深さは半分になるため、名刺Ｃの出し入れが容易になる利点がある。また、第１収納体１には自分の名刺Ｃを入れて第２収納体２には戴いた名刺Ｃ入れる、というように、２つの収納体１，２を使い分けることも可能である。言うまでもないが、名刺入れとは言いつつも、名刺とは異なるカードＣを収納することは可能である。
【００３７】
特許文献１の図４と同様に、閉じ状態保持手段を第２第２短辺周壁１ｃ，２ｃに設けることも可能であるが、カードケースはヒンジ手段３と直交した方向に長いため、加工誤差によって係脱状態がかなり相違する虞がある（特に、カール部６，７を加工するに際して誤差が生じやすい。）。
【００３８】
これに対して本実施形態のように閉じ状態保持手段としての係止片１１と係合凹所１３とを長辺周壁１ｄに設けると、２つの長辺周壁１ｄ，２ｄの間隔が小さいためにより、加工精度の誤差による間隔寸法のバラツキを殆ど無くすことができ、その結果、係合突起１２と係合凹所１３との嵌まり合いを硬過ぎたり甘すぎたりすることがない適度の嵌まり合いを確保できる。この点、本実施形態の利点の一つである。
【００３９】
(3).第２〜第３実施形態（図４）
図４（Ａ）は第２実施形態の一部破断部分平面図である。この第２実施形態は第１実施形態の変形例であり、第１実施形態とは異なって、係止片１１をヒンジ手段３に近い箇所に設けている。図示していないが、第２収納体２における長辺周壁１ｄ，２ｄの係合凹所はヒンジ手段３に近い箇所に設けている。他の構成は第１実施形態と同じである。この第２実施形態では、係止片１１が人の指先に触れることはなく、また、開いた状態で係止片１１は目立たないためスッキリした外観になる。
【００４０】
図４（Ｂ）及び（Ｃ）は閉じ状態保持手段の別例であり、（Ｂ）は部分的な平面図、（Ｃ）は（Ｂ）のＣ−Ｃ視断面図である。この第２実施形態では、第２収納体２の第２第１短辺周壁２ｂに、第１収納体１における第２第１短辺周壁１ｂの先端縁に外側から引っ掛かり係合する係止爪１６を一体に設けている。係止爪１６は側断面視でおおむね鉤形になっており、それ自体の弾性変形や第２第１短辺周壁１ｂ，２ｂの弾性変形により、第１収納体１の第１第１短辺周壁１ｂに係合・離脱する。
【００４１】
係止爪１６は第２第１短辺周壁２ｂの中間部に設けており、また、第２収納体２の第２第１短辺周壁２ｂには、当該第１第１短辺周壁２ｂを横切る方向に延びる複数のリブ１７を膨出形成している。一つのリブ１７は係止爪１６の箇所に形成している。リブ１７は底板２ａに近づくに従って高さが低くなるように設定していると共に、第２第１短辺周壁２ｂの先端の箇所では係止爪１６の先端と略同じ高さになるように設定している。このリブ１７の存在により、名刺Ｃを係止爪１７に引っ掛からない状態で引き出すことができる。リブ１７の個数や配置場所、幅寸法は任意に設定できる。
【００４２】
(4).第４実施形態（図５）
図５は第４実施形態を示すもので、ヒンジ手段３と直交した平面で切断した断面図である。この第４実施形態は基本的には第１実施形態と同じであるが、第１実施形態との相違点として、第１短辺周壁１ｂ，２ｂが底板１ａ，２ａに対して成す角度（交叉角度）が第１実施形態の場合よりも小さくなっている。より正確に述べると、第４実施形態では、第１短辺周壁１ｂ，２ｂは９０度よりも少し大きい程度の角度で底板１ａ，２ａと交叉している。
【００４３】
第１短辺周壁１ｂ，２ｂは名刺Ｃの出し入れには関与しないので、第１短辺周壁１ｂ，２ｂを底板１ａ，２ａに対して直交した姿勢とすることも可能である。第２短辺周壁１ｃ，２ｃはおおむね１３５度程度の角度で底板１ａ，２ａと交叉している。
【００４４】
図６に示す第５実施形態では、両収納体１，２の第１短辺周壁１ｂ，２ｂと第２短辺周壁１ｃ，２ｃとは、いずれも側面視で外向き凸状に湾曲している（なお、ヒンジピン８の断面表示は省略している。）。このように第１短辺周壁１ｂ，２ｂが湾曲している場合の底板１ａ，２ａと成す角度は、第１短辺周壁１ｂ，２ｂの付け根と先端とを結ぶ線１８と底板１ａ，２ａが成す角度θ１と定義しても良いし、側面視での第１短辺周壁１ｂ，２ｂの接線１９と底板１ａ，２ａとが成す角度θ２と定義しても良い。いずれの角度θ１，θ２も９０°よりは大きい。
【００４５】
(5).第６実施形態（図７）
以上の各実施形態は請求項１を具体化したものであったが、図７では請求項２を具体化した第６実施形態を示している。（Ａ）は閉じた状態の斜視図、（Ｂ）は（Ａ）のＢ−Ｂ視断面図、（Ｃ）は（Ｂ）のＣ−Ｃ視断面図である。
【００４６】
この第６実施形態は本体２０と蓋体２１とを備えている。本体２０は底板２０ａと４つの周壁２０ｂ〜２０ｄを有していてトレー状に形成されており、第１実施形態と同様に底板２０ａには凹所２２が形成れて、長辺周壁２０ｄにはストッパー片２３が形成されている。第１及び第２の短辺周壁２０ｂ，２０ｃは底板２０ａに対して鈍角で交叉している。
【００４７】
他方、蓋体２１は本体２０と同じ平面形状で平板に近い状態になっており、外周はごく低い高さの第１及び第２の短辺側片２１ｂ，２１ｃと長辺側片２１ｄとで構成されている。本体２０の第１短辺側片２０ｂと蓋体２１の第１短辺側片２１ｂとが第１実施形態と同様のヒンジ手段３で連結されている。蓋体２１にもラベル類（図示せず）を貼着できる凹所２４が形成されている。
【００４８】
この第６実施形態では、蓋体２１の閉じ状態保持手段としては、蓋体２１における長辺側片２１ｄの先端部に本体２０の長辺周壁２０ｄの内面に重なる下向き係止片２５を一体に設け、この係止片２５に外向きの係合突起２６を膨出形成する一方、本体２０の長辺周壁２０ｄには、係合突起２６が嵌まる係合穴２７を設けている。
【００４９】
名刺入れの閉じ状態において蓋体２１の長辺側片２１ｃと本体２０の長辺周壁２０ｄとは同一面を成しているので、係止片２５は名刺入れの内部にずれた状態で配置されており、このため、長辺側片２１ｄと係止片２５とは段部２８を介して繋がっている。この第６実施形態では、蓋体２１は名刺Ｃの収納機能は持っておらず、本体２０を塞ぐことを主機能としている。ストッパー片２３は必ずしも必要はない。
【００５０】
(6).その他
本願発明は、上記の実施形態の他にも様々に具体化できる。例えば、名刺のように長方形のカードを収納するカードケースの場合、第１収納体と第２収納体、又は本体と蓋体とは、その長辺の箇所において連結しても良いのである。平面視形状は収納するカードの形態に応じて設定したら良い。
【００５１】
閉じ状態保持手段としては弾性変形を利用した雌雄係合部の嵌め合わせ方式には限らず、例えばシートマグネットを使用したり、ばね部材を使用したりすることも可能である。ばね部材を使用する場合、いわゆる支点超えにより、閉じ状態と開き状態とに選択的る保持させるのが好ましいと言える。請求項１の場合、第１収納体と第２収納体とは深さや断面形状を変えることも可能である。
【図面の簡単な説明】
【００５２】
【図１】第１実施形態を示す図で、（Ａ）は閉じた状態の名刺入れを前方から見た斜視図、（Ｂ）は閉じた状態の名刺入れを後ろから見た部分斜視図、（Ｃ）は開いた状態での斜視図である。
【図２】（Ａ）は閉じた状態での一部破断部分平面図、（Ｂ）は（Ａ）のＢ−Ｂ視断面図、（Ｃ）は（Ａ）のＣ−Ｃ視断面図、（Ｄ）は（Ａ）のＤ−Ｄ視図、（Ｅ）は（Ｄ）のＥ−Ｅ視断面図、（Ｆ）は（Ｅ）と同じ箇所の分離断面図、（Ｇ）は開いた状態でのＢ−Ｂ視断面図である。
【図３】（Ａ）は閉じた状態での一部破断平面図、（Ｂ）は（Ａ）のＢ−Ｂ視断面図、（Ｃ）は（Ａ）のＣ−Ｃ視断面図、（Ｄ）は開いた状態での断面図である。
【図４】（Ａ）は第２実施形態を示す図、（Ｂ）（Ｃ）は第３実施形態を示す図である。
【図５】第４実施形態を示す図である。
【図６】第５実施形態を示す図である。
【図７】第６実施形態を示す図である。
【符号の説明】
【００５３】
Ｃ  カード類の一例としての名刺
１  第１収納体
２  第２収納体
１ａ，２ａ  底板
１ｂ〜２ｄ，２ｂ〜２ｄ  周壁
３  ヒンジ手段
９，２３  ストッパー片
１２  閉じ状態保持手段を構成する係合突起
１３  閉じ状態保持手段を構成する係合凹所
【図１】
2009274736.tif 000003
【図２】
2009274736.tif 000004
【図３】
2009274736.tif 000005
【図４】
2009274736.tif 000006
【図５】
2009274736.tif 000007
【図６】
2009274736.tif 000008
【図７】
2009274736.tif 000009